(57)【要約】【課題】構造の大型化や工具使用の困難化を伴うことなく、柔軟支持のための付勢手段の増加を行うことのできるバスダクト支持装置を提供すること。【解決手段】床部側構造部とバスダクト側構造部とを離反する方向に付勢する付勢手段３２と、付勢手段３２の水平方向の位置規制が可能な位置に配置され、床部側構造部又はバスダクト側構造部の一方の構造部に一端が固定され、他端が他方の構造部に非固定状態で該他方の構造部によって水平方向の位置規制がなされる状態とされ、かつ付勢手段の圧縮・圧縮状態保持のための調整部材３４を有する案内部材２６と、を有する基本支持部２５と、バスダクト側構造部と床部側構造部との間に設置され、これら両者を離反する方向に付勢する付勢手段３６と、床部側構造部又はバスダクト側構造部の何れかに設けられた付勢手段３６の水平方向の位置規制手段３８と、から成る補助支持部３５と、を含むことを特徴とする。【選択図】図１
2008125228.tif 000002
【特許請求の範囲】
【請求項１】
建造物の各階層を貫通して設置され、各階の床部にて柔軟支持された垂直布設型バスダクトのバスダクト支持装置において、
床部側構造部とその上方位置に配置されたバスダクト側構造部との間に設置され、通常設置状態で前記床部側構造部とバスダクト側構造部とを離反する方向に付勢する付勢手段と、該付勢手段の水平方向の位置規制が可能な位置に配置され、前記床部側構造部又は前記バスダクト側構造部の一方の構造部に一端が固定され、他端が他方の構造部に非固定状態で該他方の構造部によって水平方向の位置規制がなされる状態とされ、かつ付勢手段の圧縮・圧縮状態保持のための調整部材を有する案内部材と、を有する基本支持部と、
前記基本支持手段に加えて、前記バスダクト側構造部と床部側構造部との間に設置され、通常設置状態で前記バスダクト側構造部と床部側構造部とを離反する方向に付勢する付勢手段と、前記床部側構造部又は前記バスダクト側構造部の少なくとも何れかに設けられた前記付勢手段の水平方向の位置規制手段と、を有する補助支持部と、
を含むことを特徴とするバスダクト支持装置。
【請求項２】
前記基本支持部と前記補助支持部は、並設されてなることを特徴とする請求項１に記載のバスダクト支持装置。
【請求項３】
前記基本支持部と前記補助支持部とを交互に配置してなることを特徴とする請求項１又は２の何れか１項に記載のバスダクト支持装置。
【請求項４】
前記基本支持部を複数配置した領域の両側に前記補助支持部を設けてなることを特徴とする請求項１から３の何れか１項に記載のバスダクト支持装置。
【請求項５】
前記床部側構造部は、前記基本支持部を取り付けるための部材と、前記補助支持部を取り付けるための部材とを別個に備えたことを特徴とする請求項１から４の何れか１項に記載のバスダクト支持装置。
【請求項６】
前記基本支持部に代え、
床部側構造部又はその上方位置に配置されたバスダクト側構造部の一方の構造部に一端が固定され、他端が他方の構造部に非固定状態で該他方の構造部によって水平方向の位置規制がなされる状態とされ、且つ前記補助支持部の付勢手段の圧縮・圧縮状態保持のための調整部材を有する案内部材を設置したことを特徴とする請求項１から６の何れか１項に記載のバスダクト支持装置。
【発明の詳細な説明】
【技術分野】
【０００１】
本発明は、バスダクト支持装置、特に、建造物に垂直方向に布設されるバスダクトを建造物の所定構成部で柔軟に支持するバスダクト支持装置の改良に関する。
【背景技術】
【０００２】
バスダクトの建造物への設置は、バスダクトが水平方向に伸張するように布設される場合だけでなく、複数階にまたがって床部、天井部を貫通して垂直に布設される場合がある。この様な垂直式のバスダクトの設置においては、必然的に各階層の床部構造や天井部構造などの構造部を貫通させることとなる。しかしながら、これらの構造部に対してバスダクトを完全に固定状態とすると、バスダクトが使用時の温度上昇によって膨張した際に、その固定状態に支障が生じる。これは、高い階層のビルに設置された長いバスダクトにおいては特に大きな伸長が生じその問題は顕著に現れる。
【０００３】
そこで、従来からバスダクトを垂直に布設する場合、バスダクトの最下部の設置は、設置面に対してしっかりと固定されることで行われるが、建造物の各階の構造部とバスダクトとの取付関係は、完全な固定ではなく、各階の床部により柔軟に支持する構造が用いられている。
【０００４】
例えば、特許文献１のバスダクト支持装置は、垂直バスダクト側の構造部としてバスダクトのフランジ部（１４）の外面に固定金具（１３）を取り付け、その固定金具（１３）にクランプ片（２０）を取り付けている。そして、床部（１１）側の構造部として、基礎部材（１６）を床（１１）上に固定している。これらバスダクト側構造部と床部側構造部との間に案内用の支持ボルト（１７）にて規制されたスプリング（１９）を介在させることで、垂直バスダクトを床に柔軟支持させている。なお、垂直バスダクトの最下部はその下端部が最下部の床上に固定設置されている。
【０００５】
また、特許文献２のバスダクト支持装置もバスダクト側の取付部材（受け板４５等）と、床（６０）側の取付部材（チャンネル部材（４６）やバネ案内用の支持ボルト（４７））との間にバネ（４８）を介在させることで、垂直バスダクトを床（６０）にて柔軟支持している。
【０００６】
【特許文献１】実開昭６１−１１４９２５号公報
【特許文献２】特開昭５３−１３３７９８号公報
【発明の開示】
【発明が解決しようとする課題】
【０００７】
しかしながら、バスダクトを各構造部で柔軟支持する際、バスダクトはその容量によって、重量も変化するのでその要領に応じてスプリング等の付勢手段の数を調整する必要が生じる。すなわち、大きな容量の場合には、柔軟支持を的確に行うために付勢手段の数を増やさなければならない。一方、上記特許文献に開示された技術でも明らかなように、スプリング等を設置する場合、スプリングやバスダクト自体の横ずれを規制するために、支持ボルトをスプリング内に挿通している。そして、これら支持ボルトの取付のための構造が各階層毎に設けられている。
【０００８】
したがって、この様な柔軟支持のための構造の数的な増加はコストの増加につながるものとなる。また、特許文献２などの場合は、支持ボルトの設置本数が増えた場合、支持ボルト相互間の距離がどうしても狭くなってしまう。したがって、支持ボルトやこれに螺合されるナットの着脱や位置移動を行うための工具による作業（回転動作）が困難になる。この問題を回避するために、支持ボルト等の部材の取付部分（受け板の幅など）を拡大することも設置スペースの増大につながり好ましくない。また、上記のように受け板の幅を拡げたような場合、バスダクトを複数系統並設させる状況においては、バスダクト相互間の距離を必要以上に設けなければならず、無駄な空間を作ってしまうという不具合が生じてくる。
【０００９】
本発明は上記課題に鑑みてなされたものであり、その目的は、構造の大型化や工具使用の困難化を伴うことなく、柔軟支持のための付勢手段の増加を行うことのできるバスダクト支持装置を提供することにある。
【課題を解決するための手段】
【００１０】
上記課題を解決するための請求項１に係るバスダクト支持装置は、
建造物の各階層を貫通して設置され、各階の床部にて柔軟支持された垂直布設型バスダクトのバスダクト支持装置において、床部側構造部とその上方位置に配置されたバスダクト側構造部との間に設置され、通常設置状態で前記床部側構造部とバスダクト側構造部とを離反する方向に付勢する付勢手段と、該付勢手段の水平方向の位置規制が可能な位置に配置され、前記床部側構造部又は前記バスダクト側構造部の一方の構造部に一端が固定され、他端が他方の構造部に非固定状態で該他方の構造部によって水平方向の位置規制がなされる状態とされ、かつ付勢手段の圧縮・圧縮状態保持のための調整部材を有する案内部材と、を有する基本支持部と、前記基本支持部に加えて、前記バスダクト側構造部と床部側構造部との間に設置され、通常設置状態で前記バスダクト側構造部と床部側構造部とを離反する方向に付勢する付勢手段と、前記床部側構造部又は前記バスダクト側構造部の少なくとも何れかに設けられた前記付勢手段の水平方向の位置規制手段と、から成る補助支持部と、を含むことを特徴とする。
【００１１】
この構成によれば、基本支持部の案内部材（例えば、案内用ボルト体）は付勢手段の水平方向の位置規制だけでなく、床部側構造部とバスダクト側構造部との間の位置規制を行うための構造を有しており、更に、基本支持部の組み立て、取り付けの際に用いる付勢手段の圧縮・圧縮状態保持のための調整部材（例えば、調整用のナット）を有している。したがって、この基本支持部のみでバスダクトの床部における柔軟支持を行う場合、支持部の数の増加が必要となった場合に、調整部材の調整作業（例えば、ナットの回転動作）のための工具スペースを確保する必要性から構造の大型化を伴う。しかし、補助支持部は、付勢手段とこの位置規制を行う部材を備えるのみであることから、調整部材の調整作業のための工具スペースは不要であり、補助支持部を相互に近接させて配置すること、又は基本支持部に近接させて設置することが可能である。したがって、この基本支持部と補助支持部とを合わせて用いることで、容量の大型化に伴う支持部の増加に対して、設置スペースの増大を効果的に抑えることが可能となる。
【００１２】
請求項２に係るバスダクト支持装置は、
前記基本支持部と前記補助支持部が、並設されてなることを特徴とする。補助支持部の構造はシンプルなものであり、基本支持部との並設が可能であり、並設により、省スペース化が図られる。
【００１３】
請求項３に係るバスダクト支持装置は、
前記基本支持部と前記補助支持部とを交互に配置してなることを特徴とする。この構成によれば、基本・補助支持部相互の間隔をきわめて小さいものとすることができる。すなわち、補助支持部に対しては調整部材の調整作業（例えば、ナットの回転作業）などの事後的な作業がなされることはないので、基本支持部と前記補助支持部とを近接させて設置しても基本支持部相互は補助支持部が介在している分スペースのゆとりが有り、基本支持部に対する作業性を低下させることがない。大型化を伴うことなくバスダクトの大容量に対応できる付勢手段の増加が可能となる。
【００１４】
請求項４に係るバスダクト支持装置は、
前記基本支持部を複数配置した領域の両側に前記補助支持部を設けてなることを特徴とする。このように、補助支持部を基本支持部に隣接させて設置するようにすれば、種々の配置が可能である。すなわち、中央にスペースを取って基本支持部を複数設置し、更にその両側に近接させて補助支持部を設置することで、可及的に少ないスペース増加によって付勢手段の増加が図られる。
【００１５】
請求項５に係るバスダクト支持装置は、
前記床部側構造部が、前記基本支持部を取り付けるための部材と、前記補助支持部を取り付けるための部材とを別個に備えたことを特徴とする。これにより、例えば、基本支持部を標準として設け、バスダクトの容量に応じて補助支持部を追加する等の方法を取る場合に、基本支持部を取り付けるための部材を予め在庫として確保しておく程度に製造し、補助支持部を取り付ける部材は追加的に製造すればよい。
【００１６】
請求項６に係るバスダクト支持装置は、
前記基本支持部に代え、床部側構造部又はその上方位置に配置されたバスダクト側構造部の一方の構造部に一端が固定され、他端が他方の構造部に非固定状態で該他方の構造部によって水平方向の位置規制がなされる状態とされ、且つ付勢手段の圧縮・圧縮状態保持のための調整部材を有する案内部材を設置したことを特徴とする。
【００１７】
すなわち、基本支持部を付勢手段を有しない案内部材として構成したものであり、バスダクトを床部において柔軟支持する構成は、付勢手段を有する補助支持部とバスダクトの水平方向の位置規制を行う案内部材にて構成したものである。これにより、付勢手段の数を増加した場合でも、構造の複雑化の回避と安価な製造費を確保することができる。
【発明の効果】
【００１８】
本発明のバスダクト支持装置によれば、垂直布設型のバスダクトの各階層における柔軟支持構造の大型化や工具使用の困難化を伴うことなく、柔軟支持のための付勢手段の増加を行うことが可能である。これにより、バスダクトの様々な容量に対応した付勢手段の増減の容易化が図られる。
【発明を実施するための最良の形態】
【００１９】
以下、本発明のバスダクト支持装置の実施の形態について図面を用いて詳細に説明する。
［第１の実施の形態］
図１〜図４は、本実施の形態に係るバスダクト支持装置を示しており、図１（Ａ）はバスダクト支持装置の正面図、同図（Ｂ）はその側面図、図２（Ａ）及び（Ｂ）は支持構造を分解した状態を示す正面図及び側面図、図３（Ａ）及び（Ｂ）は支持構造のバネを圧縮した状態（支持ユニット）と床部側構造部の正面図及び側面図、図４（Ａ）、（Ｂ）及び（Ｃ）は支持ユニットの組立方法を示す図である。
【００２０】
なお、図５には、本実施の形態によって支持されるバスダクトの１例を示している。図示のように、バスダクト３００は３枚の導体３０２に絶縁材３０４を被覆してなる３相の絶縁被覆導体３０５を積層し、これら絶縁被覆導体３０５の幅方向両側面に一対の断面ロ字形のスペーサ３０６を配設し、絶縁被覆導体３０５の厚さ方向両側方向から側板３０８で絶縁被覆導体３０５及びスペーサ３０６を狭持するようにボルトナット等（３１０，３１２）の締着具で緊締固定されている。側板３０８の導体幅方向の両端（図上上下端部）には外方へ屈曲されて成る第１補強部３０８ａと、更にこの第１補強部３０８の端縁を互いに向き合うように屈曲延設した第２補強部３０８ｂを有している。なお、本願発明の適用されるバスダクトはこのような形態のものに限定されるものではない。
【００２１】
図１から図４に示された本実施の形態に係るバスダクト支持装置１０は、垂直方向に布設されたバスダクト１００を圧縮された付勢手段であるバネ１２により支持し、バスダクト１００の熱等による膨張を上方へ逃がす構造となっている。
【００２２】
図示のように、まず、建造物の各階層の床部２００に設けられた床部側構造部としては、床部２００のバスダクトを貫通させるための貫通穴２０２の近傍の床部２００上面に断面コ字状の２つの第１チャンネル部材１２−１、１２−２が貫通孔２０２の外側に平行に配置され、その上部に井げた状に２つの第２チャンネル部材１４−１、１４−２が配置されている。なお、図２に示されたように、第１チャンネル部材１２−１は床部２００にアンカー１３等で固定され、且つ第１チャンネル部材１２−１に第２チャンネル部材１４−１がボルトナット等の締着具１５で固定されている。
【００２３】
次に、バスダクト１００に設けられたバスダクト側構造部としては、まずバスダクト１００の正面側、裏面側に取り付けられる断面略Ｌ字形からなる基礎部材２０を有している。基礎部材２０は、バスダクト１００の正面、裏面であるスペーサ外面３０６及び第１補強部３０８ａ（図５参照乞う）の外表面に当接される平板からなる基面部２０ａ及びこの基面部２０ａの下端を外方に屈曲延設してなる支持片２０ｂを有している。次に、基礎部材２０の基面部２０ａの裏面にてバスダクトの第２補強部３０８ｂ（図５参照乞う）を覆うように配設される断面コ字状の固定用部材２２固定用部材２２が存する。これらをボルトナット等の締着具で締着することにより、バスダクトとバスダクト側構造部が固定状態となる。
【００２４】
次に、床部側構造部である第２チャンネル部材１４−１、１４−２に固定される部材として断面コ字状の補助部材２４が設けられる。そして、この補助部材２４と上記基礎部材２０の支持片２０ｂとの間に本実施の形態の特徴的構成部分であるバスダクト１００を床部２００によって柔軟支持する部材が設置されるものである。すなわち、補助部材２４と支持片２０ｂとの間には、基本支持部２５と補助支持部３５が設置される。本実施の形態ではそれぞれ１対ずつ設けられている。
【００２５】
まず、基本支持部２５は、案内部材であり、長ボルトで構成された支持ボルト２６、この支持ボルト２６を第１チャンネル部材１４−１及び補助部材２４に固定するための締結部材としての取付けナット２８，３０、補助部材２４と支持片２０ｂとの間に支持ボルト２６が挿通された状態で設置される付勢手段としてのバネ３２、及び支持ボルトに２６に螺合されたバネ３２の圧縮と圧縮状態維持のための案内部材である調整用ナット３４を含む構成とされている。
【００２６】
次に、補助支持部３５は、補助部材２４と支持片２０ｂとの間に設置されるバネ３６と、このバネ３６の水平方向の位置規制を行うためにバネ３６に挿通された状態で取り付けられるバネ規制体３８と、このバネ規制体３８を補助部材２４に取り付けるための小ボルト４０とを含む構成とされている。本実施の形態では、バネ規制体３８は高ナットで構成されている。また、図示のように、本実施の形態では両側に１対の基本支持部２５、その内側に１対の補助支持部３５が設置されている。
【００２７】
上述のバスダクト側構造部は、図３に示したように１つのユニットとしてほぼ一体化され、その状態で、床部側構造部に取り付けられる。図４は、このバスダクト側構造部ユニットの組み付け工程を概略的に示している。まず、同図（Ａ）に示したように、基礎部材２０の支持片２０ｂに設けられた貫通孔（図示されてない）に調整用ナット３４を螺合した支持ボルト２６を挿通し、且つ補助部材２４にバネ規制体３８を小ボルト４０にて固定する。そして、支持ボルト２６及びバネ規制体３８にバネ３２，３６をそれぞれ挿通させ、支持ボルト２６を補助部材２４に形成された貫通孔（図示せず）に挿通して取り付けナット２８で支持ボルト２６と補助部材２４を固定する（図４（Ｂ）参照）。最後に調整用ナット３４をネジ込むことにより、バネが圧縮され、バスダクト側構造部ユニットが完成する（図４（Ｃ）参照）。なお、基本支持部２５のバネ３２は支持ボルト２６によって水平方向の位置規制が行われる。
【００２８】
なお、バネ規制体３８の高さは、圧縮後のバネ３６の略同一とすることが好適であり、バネ規制体３８によりバネ３６の圧縮量（調整用ナット３４の締付け量）も同時に規制することができ、圧縮作業のバラツキを解消することができる。すなわち、調整用ナット３４を締付け、バスダクト側構造部の基礎部分２０の支持片２０ｂの下端がバネ規制体３８の上端に当接されることにより、調整用ナット３４の締め付け作業が終了することとなる。
【００２９】
このバスダクト側構造部ユニットを第２チャンネル部材１４−１、１４−２に固定するが、この固定は、支持ボルト２６の下端部を第２チャンネル部材１４−１、１４−２の上面に形成された貫通孔（図示されていない）に挿通し、下方から取付けナット３０を螺合して固定する。そして、最後に調整用ナット３４を緩める（図上上方に移動させる）ことにより補助支持部３５及び基本支持部２５のバネが開放され、バスダクト１００を上方へ押し上げる力となる。なお、添付図面において、バスダクト側構造部ユニットが床部側構造部に取り付けられている状態が示されている図については、全て調整用ナット３４が緩められていない状態で示されているが、最終的にはこれを緩めた状態で設置作業が終了する。
【００３０】
調整用ナット３４が緩められた状態では、バスダクト１００に固定された基礎部材２０は調整用ナット３４が緩められた移動量だけ上方に移動することが可能となる。したがって、垂直に布設されたバスダクト１００が温度上昇等により膨張して伸長した場合、この伸びをバネ３２，３６の付勢力を発揮させた状態のまま上方へ移動することによって許容することができる。
【００３１】
以上のように本実施の形態のバスダクト支持装置によれば、１対の基本支持部２５と１対の補助支持部３５、合計４個の支持部を設置しているが、取り付け後に調整用ナット３４の回転作業を行う必要のある基本支持部２５は、両側の離れた箇所に配置されているので、回転動作のための工具用スペースは十分確保されている。したがって、バスダクト１００の容量に対応させて、付勢手段を増加させる場合に、事後的なナット調整の必要のない構成とした補助支持部３５の付加により相互に近接させた位置での支持部の設置が可能となっている。したがって、基礎部材２０をはじめとする支持部の設置のための構造のサイズを極力小さく押さえることが可能となっている。
【００３２】
また、例えば上記第１の実施の形態のバスダクト１００よりも容量の小さいバスダクト１０２の場合、図６に示すように少ない支持部の数で構成することが可能である。すなわち、基本支持部２５を両外側に設け、中央に補助支持部３５を１つだけ設ける構造でも良い。本構造の場合、補助部材２４以外の部材は全て共通して使用することができるため、補助部材２４以外の部材を先に製造し、バスダクトの容量に応じて補助部材２４のみ追加製造すれば足りることから、製造コストを削減することができる。換言すれば、バネの本数が変わっても、第２チャンネル部材１４及び基礎部材２０の貫通孔の数が変化しない場合、補助部材２４の貫通孔の位置と数のみ変えれば足りることとなる。
【００３３】
また、基本支持部２５を１つのみ設置する場合、それを補助部材２４の中央部に設ける必要はなく、例えば２つの基本支持部２５を有する実施の形態の一本を取り除いた状態の配置であっても良く、補助部材２４も第１実施の形態と同様のものを使用することができる。
【００３４】
また、補助支持部３５と基本支持部２５の配列も上記実施の形態に限定されるものではなく、図７に示すような配列であっても良い。すなわち、図７（Ａ）のように、基本支持部２５を中央に設置し、両側に補助支持部３５を配設して３本のバネにて支持する構造、図７（Ｂ）のように、補助支持部３５と基本支持部２５を交互に配設して４本のバネにて支持する構造、図７（Ｃ）のように、２つの基本支持部２５を中央に設置し、両側に補助支持部３５を配設して４本のバネにて支持する構造、図７（Ｄ）のように、基本支持部２５を中心として、両側に２本ずつの補助支持部３５を配設して５本のバネにて支持する構造等適宜適用することができる。
【００３５】
これらの構造から明らかなように、本数が増加した場合でも、補助支持部３５と補助支持部３５相互の間の間隔、補助支持部３５と基本支持部２５との間隔は基本支持部２５同士が隣設される場合の相互の間隔よりも小さく設定することが可能である。したがって、図７（Ｄ）のように本数の多い場合には特に顕著に設置スペースの小型化が顕著に表れる。
【００３６】
図８には、更に他の構成例を示している。図８（Ａ）に示すように補助部材２４は必ずしも床部側構造部に設ける必要はなく、バスダクト側構造部の支持片２０ｂの下方に設けても良く、その形状は図示のようにつば部を有するハット状の断面形状としても良い。また、図８（Ｂ）に示すように補助支持部３５の設置をバスダクト側構造部である支持片２０ｂに固定したバネ規制体３８とこれによって位置規制されるバネ３６で行っても良く、図示のように補助部材２４を設けることなく構成することも可能である。また、図８（Ｃ）に示すように補助支持部３５を第２チャンネル部材１４に直接固定し、補助部材をなくした構成でも良く、図８（Ｄ）に示すように基本支持部２５に代えて、バネのない支持ボルト２６のみの構成をとり、すなわち、支持ボルト２６によりバスダクトの水平方向への移動規制と調整ナット３４の移動機能だけを用い、付勢手段は補助支持部３５のみとすることも可能である。また、図８（Ｅ）に示すように補助支持部３５をバスダクト側構造部及び第２チャンネル部材に固定する構造であっても良いが、この場合はバネ３６が挿通されるバネ規制体３８は、バスダクトの伸長を許容し得るは伸縮性のあるゴム等のような部材を用いる必要がある。更に、図８（Ｆ）に示すように補助支持部３５の付勢手段として耐震性のゴム等の弾性部材３７を設けることも可能である。この場合、ピン３９等を第２チャンネル部材１４に挿通固定し、ピン３９に耐震性のゴムを挿通固定する構造とする。このように、補助支持部３５に用いる付勢手段と基本支持部２５に用いる付勢手段の質を異なるものにすることも可能である。
【００３７】
上記各実施の形態は基礎部材２０や基本支持２５や補助支持部３５等をバスダクトの正面、背面に設置する例を示してきたが、これに限られず、それらの部材をバスダクトの両側面で幅方向に設置することも可能である。図９は、基礎部材２０や基本支持部２５や補助支持部３５等をバスダクトの側面部に設置した構成を示している。この構成によれば、バスダクトの設置領域内で支持部の本数を多く確保することが可能である。
【００３８】
図１０は、容量の異なる複数系統のバスダクト１０４，１０６が並設布設されている場合の構成を示しており、同図（Ａ）は正面図、同図（Ｂ）は右側面図である。第２チャンネル部材１４と容量の小さいサイズの小さいバスダクト１０６の固定側の面との距離がバスダクト１０４の場合よりも大きくなる。したがって、共通の第２チャンネル部材１４を用いる場合、バスダクト側構造部の強度を確保することのできるバスダクト側構造部の構成が必要となる。本実施の形態では、例えばバスダクト側構造部の支持片２０ｂの強度を補うため補強部材５０を設けている。
【００３９】
図１１は、このような補強部材５０の構成例を示している。同図（Ａ）に示すように、バスダクト側構造部の基礎部材２０の幅と略同一で、基礎部材２０の外側面に当接される基片５０ａとこの基片５０ａより幅狭に形成された傾斜片５０ｂと基片５０ａと同幅の水平片５０ｃを有しており、基礎部材２０とバスダクトを固定する際のボルトナットを用いて、基片５０ａが基礎部材２０の外側面に固定される。水平片５０は基礎部材２０の支持片２０ｂの上面に小ボルト５２によって固定している。本構造により、基礎部材２０と補強部材５０により右側面に三角形状が形成され、補強効果を向上させることができる。
【００４０】
また、１１（Ｂ）に示すように、補強部材５４を一対の補強部材５４−１，５４−２として構成しても良く、基礎部材２０の基面部２０ａの外側面に当接し、正面視で略半分形状となる基片５４ａと、基片５４ａの下端で支持片２０ｂの上面に当接される水平片５４ｂと、基片５４ａ及び水平片５４ｂのそれぞれ内端で且つそれぞれに略直角に屈曲する補強片５４ｃから構成される補強部材であっても良く、この構成によれば、図１１（Ａ）の構成よりも強度が増す。なお、基礎部材２０への取り付けは上記図１１（Ａ）の場合と同様である。
【００４１】
また、図１１（Ｃ）に示すように、図１１（Ｂ）の補強部材５４よりも幅を細くし、設置状態において補強片５４ｃの位置をそれぞれ離間するようにし、基片及び水平片の内端をそれぞれ接触しない程度に離間した状態で、それぞれ基礎部材２０の外形に見合う形状としても良く、図１１（Ｂ）の場合より、バランスの良い強度が確保されると共に、材料費を節約することが可能となる。なお、補助支持部３５、基本支持部２５の数や位置によって補強片５４ｃの位置を変更しても良く、例えば、バネを用いる支持部が所定箇所に限られている場合は、そのバネの設置位置と正面視で同一位置に補強片５４ｃを合わせて設けることにより的確な補強が可能となる。なお、これらの補強部材５０や５４はそれぞれ、基礎部材２０にリベット等の固定具で固定することも可能である。
【００４２】
なお、本発明の案内部材は支持ボルト以外に、単なる棒状の部材であっても良く、また、その場合、調整部材はその棒状部材の所定位置にしっかりと固定可能な部材が用いられる。例えば、その棒状部材に穿設された孔にピン状の部材を挿通して固定するようなものであっても良い。
【図面の簡単な説明】
【００４３】
【図１】同図（Ａ）は本実施の形態に係るバスダクト支持装置の正面図、同図（Ｂ）はその右側面図である。
【図２】同図（Ａ）はバスダクト支持装置の分解正面図、同図（Ｂ）はその右側面図である。
【図３】同図（Ａ）はバスダクト側構造部ユニットと床部側構造部の正面説明図、同図（Ｂ）はその右側面説明図である。
【図４】同図（Ａ）、（Ｂ）及び（Ｃ）は、バスダクト側構造部ユニットの組立方法を示す正面説明図である。
【図５】実施の形態に用いられたバスダクトの構成を示す断面説明図である。
【図６】第１の実施の形態よりも容量の小さいバスダクトを支持する場合の構成を示す正面図である。
【図７】同図（Ａ）〜（Ｄ）は補助支持部３５と基本支持部２５の他の配置例を示す正面説明図である。
【図８】同図（Ａ）〜（Ｆ）は補助支持部３５と基本支持部２５の更に他の配置例を示す正面説明図である。
【図９】同図（Ａ）は、バスダクト厚さ方向に支持装置を設けた例を示す正面図、同図（Ｂ）はその右側面図である。
【図１０】同図（Ａ）は、異なる容量のバスダクトを並設布設した状態を示す正面図、同図（Ｂ）はその右側面図である。
【図１１】同図（Ａ）〜（Ｃ）は、基礎部材に対する補強部材の構成例を示す説明図である。
【符号の説明】
【００４４】
１２  第１チャンネル部材
１４  第２チャンネル部材
２０  基礎部材
２０ａ  基面部
２０ｂ  支持片
２４  補助部材
２５  基本支持部
２６  支持ボルト
３２、３６  バネ
３４  調整ナット
３５  補助支持部
３８  バネ規制体
５０，５４  補強部材
【図１】
2008125228.tif 000003
【図２】
2008125228.tif 000004
【図３】
2008125228.tif 000005
【図４】
2008125228.tif 000006
【図５】
2008125228.tif 000007
【図６】
2008125228.tif 000008
【図７】
2008125228.tif 000009
【図８】
2008125228.tif 000010
【図９】
2008125228.tif 000011
【図１０】
2008125228.tif 000012
【図１１】
2008125228.tif 000013